(57)【特許請求の範囲】
【請求項１】
躯体に穿孔した下孔に挿入されるアンカーに取り付けられるアンカー保持具であって、
軸方向に延びる前記アンカーを径方向外側から保持する少なくとも２つ以上の保持部と、
軸方向に延び一対ごとの前記保持部を繋ぐ連結部と、を備え、
前記保持部には、前記アンカーが挿入される開口部と、前記開口部の周方向一方側に位置する第１の保持部端と、前記開口部の周方向他方側に位置する第２の保持部端と、が設けられ、
２つ以上の前記保持部の開口部は、同方向を向き、
前記連結部は、一対ごとの前記保持部の周方向において同じ方向に位置する第２の保持部端同士を繋ぎ、軸方向一方側から他方側に向かうに従い、周方向に沿って前記開口部と反対側に迂回する、アンカー保持具。
【請求項２】
躯体に穿孔した下孔に挿入されるアンカーに取り付けられるアンカー保持具であって、
軸方向に延びる前記アンカーを径方向外側から保持する少なくとも２つ以上の保持部と、
一対ごとの前記保持部を繋ぐ連結部と、を備え、
前記保持部には、前記アンカーが挿入される開口部と、前記開口部の周方向両側にそれぞれ位置する一対の保持部端とが設けられ、
前記連結部は、軸方向に延びる直線部を有し、一対ごとの前記保持部の保持部端同士を繋ぐ、アンカー保持具。
【請求項３】
前記開口部の開口幅は、前記アンカーの直径より狭い、請求項１又は２に記載のアンカー保持具。
【請求項４】
前記保持部は、前記保持部端において、径方向外側に突出する突出部を有する、請求項１〜３の何れか一項に記載のアンカー保持具。
【請求項５】
前記保持部は、一方の前記保持部端から他方の前記保持部端への経路中に径方向外側に突出する突出部を有する、請求項１〜４の何れか一項に記載のアンカー保持具。
【請求項６】
前記アンカーに取り付けて前記下孔に挿入した状態で、
前記アンカーの軸方向から見て、複数の前記突出部の頂点と前記連結部の頂点と、が描くピッチ円の中心は、前記アンカーの中心と略一致する、請求項４又は５に記載のアンカー保持具。
【発明の詳細な説明】
【技術分野】
【０００１】
本発明は、アンカー保持具に関する。
【背景技術】
【０００２】
構造物の躯体などに、躯体の剪断破壊強度を増大させるため、あるいは躯体の表面に他の物品を取り付けるために、補強筋やあと施工アンカー（以下、アンカーと呼ぶ）を埋設することがある。このような場合、躯体に穿孔した下孔に、アンカーを挿入するとともにモルタルや樹脂等の接着材料を注入することで、アンカーの埋設が行われる。
【０００３】
接着材料による接着強度を十分に確保するために、アンカーは、下孔の内周壁に対して一定の距離を設けて挿入されることが好ましい。アンカーと下孔の内周壁との間にスペースを確保する為のスペーサとして、特許文献１に記載されたものが知られている。
【先行技術文献】
【特許文献】
【０００４】
【特許文献１】特許第４４４７３６５号公報
【発明の概要】
【発明が解決しようとする課題】
【０００５】
アンカーの施工作業において、例えば、上向きに穿孔された下孔に対して挿入される場合などに、アンカーを下孔内で中空保持する場合がある。そこで、本発明者らは、アンカーを下孔内の中央に位置決めするスペーサに、保持具としての機能を付与することを検討した。
【０００６】
本発明は、上記の課題の解決を目的としてなされたものであり、アンカーと下孔とのクリアランスを確保するとともに、アンカーを下孔内で中空保持できるアンカー保持具の提供を目的とする。
【課題を解決するための手段】
【０００７】
本発明の一態様のアンカー保持具は、躯体に穿孔した下孔に挿入されるアンカーに取り付けられるアンカー保持具であって、軸方向に延びる前記アンカーを径方向外側から保持する少なくとも２つ以上の保持部と、軸方向に延び一対ごとの前記保持部を繋ぐ連結部と、を備え、前記保持部には、前記アンカーが挿入される開口部と、前記開口部の周方向一方側に位置する第１の保持部端と、前記開口部の周方向他方側に位置する第２の保持部端と、が設けられ、２つ以上の前記保持部の開口部は、同方向を向き、前記連結部は、一対ごとの前記保持部の周方向において同じ方向に位置する第２の保持部端同士を繋ぎ、軸方向一方側から他方側に向かうに従い、周方向に沿って前記開口部と反対側に迂回する。
【０００８】
また、アンカー保持具は、躯体に穿孔した下孔に挿入されるアンカーに取り付けられるアンカー保持具であって、軸方向に延びる前記アンカーを径方向外側から保持する少なくとも２つ以上の保持部と、一対ごとの前記保持部を繋ぐ連結部と、を備え、前記保持部には、前記アンカーが挿入される開口部と、前記開口部の周方向両側にそれぞれ位置する一対の保持部端とが設けられ、前記連結部は、軸方向に延びる直線部を有し、一対ごとの前記保持部の保持部端同士を繋ぐ構成としてもよい。
【０００９】
前記開口部の開口幅は、前記アンカーの直径より狭い構成としてもよい。
【００１０】
前記保持部は、前記保持部端において、径方向外側に突出する突出部を有する構成としてもよい。
【００１１】
前記保持部は、一方の前記保持部端から他方の前記保持部端への経路中に径方向外側に突出する突出部を有する構成としてもよい。
また、上述のアンカー保持具は、前記アンカーに取り付けて前記下孔に挿入した状態で、前記アンカーの軸方向から見て、複数の前記突出部の頂点と前記連結部の頂点と、が描くピッチ円の中心は、前記アンカーの中心と略一致する構成としてもよい。
【発明の効果】
【００１２】
本発明によれば、アンカーと下孔とのクリアランスを確保するとともにアンカーを下孔内で中空保持できるアンカー保持具を提供できる。
【図面の簡単な説明】
【００１３】
【図１】第１実施形態のアンカー保持具の斜視図。
【図２】第１実施形態のアンカー保持具の正面図。
【図３】第１実施形態のアンカー保持具の側面図。
【図４】第１実施形態のアンカー保持具を装着したアンカーの側面模式図である。
【図５】第１実施形態のアンカー保持具を装着したアンカーの正面図であり、図５（Ａ）はアンカー保持具を装着して下孔に挿入した状態を示し、図５（Ｂ）はアンカーを回転させて下孔内に中空保持させた状態を示す。
【図６】第２実施形態のアンカー保持具の斜視図。
【図７】第３実施形態のアンカー保持具の斜視図。
【図８】第４実施形態のアンカー保持具の斜視図。
【発明を実施するための形態】
【００１４】
＜第１実施形態＞
以下、図面を用いて第１実施形態のアンカー保持具１について説明する。
なお、各図面は、特徴をわかりやすくするために、便宜上特徴となる部分を拡大して示している場合があり、各構成要素の寸法比率などが実際と同じであるとは限らない。
以下の説明においては、アンカー保持具１の保持対象であるアンカー５０の中心軸Ｊに平行な方向を「軸方向」と呼び、中心軸Ｊを中心とする径方向を単に「径方向」と呼び、中心軸Ｊを中心とする周方向（中心軸Ｊの軸周り）を単に「周方向」と呼ぶ。
【００１５】
図１は、アンカー保持具１の斜視図である。図２は、アンカー保持具１の軸方向から見た正面図である。図３は、アンカー保持具１の側面図である。
アンカー保持具１は、アンカー５０を下孔５に挿入する際の位置保持用スペーサとして広く適用できる。
【００１６】
アンカー保持具１は、１本の線材３からなる。線材３は、バネ鋼材などの弾性変形に富む金属素材から構成することが好ましい。この場合、アンカー保持具１は、金属製の線材を折り曲げ加工することで作製される。また、線材３は、適度な弾性を有するものであれば材質はどのようなものであってもよい。
なお、アンカー保持具１は、複数本の線材を組み合わせて構成されていてもよい。
【００１７】
アンカー保持具１は、一対の保持部１０と、一対の保持部１０の間に位置する連結部２０と、を備える。一対の保持部１０は、軸方向に並んでいる。また、連結部２０は、軸方向に延びて一対の保持部１０を繋ぐ。
【００１８】
保持部１０は、アンカー５０を径方向外側から保持する。保持部１０は、周方向に延びて円弧状に湾曲している。図２に示すように保持部１０には、開口部１５と、開口部１５の周方向一方側に位置する第１保持部端１１と、開口部１５の周方向他方側に位置する第２保持部端１２と、が設けられている。第１保持部端１１は、アンカー保持具１を構成する線材３の末端に位置する。また、第２保持部端１２には、一対の保持部１０同士を連結する連結部２０が接続されている。
【００１９】
開口部１５には、アンカー５０が挿入される。開口部１５の開口幅Ｗは、アンカー５０の直径Ｄより狭い。したがって、保持部１０を弾性変形させることで開口部１５を押し広げて、アンカー５０を保持部１０に径方向外側から挿入することができる。
【００２０】
一対の保持部１０の互いの開口部１５は、軸方向から見て重なって配置されている。すなわち、一対の保持部１０の開口部は、中心軸Ｊに対して同方向を向く。これにより、一対の保持部１０の開口部１５に対しアンカー５０を同時に挿入することができる。
【００２１】
保持部１０は、第１保持部端１１において、径方向外側に突出する第１突出部１１ａを有する。同様に、保持部１０は、第２保持部端１２において、径方向外側に突出する第２突出部１２ａを有する。図２に示すように、第１突出部１１ａおよび第２突出部１２ａは、線材３を径方向外側に向かってカールさせることで形成されている。第１突出部１１ａおよび第２突出部１２ａがカールされて形成されていることで、外側に向かって徐々に広くなる開口部１５を形成できる。このため、開口部１５にアンカー５０を挿入することで開口部１５を円滑に押し広げることが可能となり、容易な挿入が可能となる。
【００２２】
連結部２０は、一対の保持部１０の第２保持部端１２同士を繋ぐ。連結部２０は、保持部１０の第２保持部端１２に接続された一対の周方向湾曲部２１と、一対の周方向湾曲部２１同士の間に位置するＵ字状湾曲部２２と、を有する。連結部２０は、一対の周方向湾曲部２１およびＵ字状湾曲部２２において、軸方向一方側から他方側に向かうに従い周方向に沿って開口部１５と反対側に迂回して延びている。
【００２３】
図２に示すように、周方向湾曲部２１は、第２保持部端１２から開口部１５と反対側に向かって延びる。また、周方向湾曲部２１は、連結部２０の径方向外側において周方向に沿って湾曲している。周方向湾曲部２１は、第２保持部端１２の第２突出部１２ａから連続して延びる。したがって、周方向湾曲部２１の曲率半径は、保持部１０の曲率半径より大きい。
【００２４】
図３に示すように、Ｕ字状湾曲部２２は、中心軸Ｊと直交する軸の周りを所定の曲率半径でヘアピン状に湾曲している。Ｕ字状湾曲部２２は、ヘアピン形状の湾曲先端としての頂点２２ａを有する。図２に示すように軸方向から見て、頂点２２ａは、Ｕ字状湾曲部２２において、周方向の最も一方側に位置するとともに径方向の最も外側に位置する。
【００２５】
＜使用状態＞
図４は、アンカー保持具１を装着したアンカー５０の模式図であり、下孔５に挿入された状態を示す。図５（Ａ）、（Ｂ）は、アンカー保持具１の使用状況を示す図であり、図５（Ａ）は、アンカー５０に取り付けて下孔５に挿入した状態を示し、図５（Ｂ）は、下孔５内にアンカー５０を仮保持させた状態を示す。
【００２６】
下孔５は、躯体４の表面４ａから深さ方向に穿孔されている。なお、本実施形態の下孔５は、上下方向に沿って延びて所定の深さを有する。しかしながら、下孔５は、水平方向に穿孔された孔であってもよく、また、貫通孔であってもよい。
下孔５には、モルタル等の接着部材７が充填され硬化される。これにより、アンカー５０を下孔５内に埋設固定することができる。なお、予め下孔５内に未硬化の接着部材７を充填させた後に、アンカー保持具１を取り付けたアンカー５０を下孔５に挿入してもよい。
【００２７】
本実施形態において、アンカー保持具１の保持対象となるアンカー５０は、例えば、ＪＩＳ  Ｇ  ３１１２に規格化された異形棒鋼である。また、本実施形態のアンカー５０は、径方向外側に突出する横節５２および縦節５１を有する。横節５２は、アンカー５０の周方向に沿って延び、軸方向に所定の距離を介して複数配置されている。また、縦節５１は、アンカー５０の軸方向に沿って延び、アンカー５０の中心に対して互いに反対側に一対配置されている。
【００２８】
図４に示すように、アンカー保持具１の保持部１０は、アンカー５０の横節５２同士の間に配置される。これにより、アンカー５０を下孔５に挿入する際に、アンカー保持具１に対し軸方向に力が加わっても、アンカー５０が軸方向に移動することが抑制される。
【００２９】
図５（Ａ）に示すように、アンカー５０は、縦節５１をアンカー保持具１の開口部１５の間に配置した状態で、アンカー保持具１に挿入される。したがって、アンカー保持具１の一対の縦節５１は、一方が保持部１０の内側に位置し、他方が保持部１０の開口部１５の間に配置されている。アンカー保持具１は、アンカー５０に装着された状態で下孔５に挿入されることで、一対の保持部１０のそれぞれの第１突出部１１ａおよび第２突出部１２ａと連結部２０のＵ字状湾曲部２２の頂点２２ａとの５点で、下孔５の内周面に接触する。連結部２０は、周方向に迂回しながら軸方向に延びているために、弾性変形して下孔５の内周面を押圧する。下孔５に挿入された状態で、軸方向から見て、アンカー保持具１の第１突出部１１ａ、第２突出部１２ａおよび頂点２２ａの描くピッチ円の中心は、保持部１０の曲率半径の中心（すなわち、アンカー５０の中心）と略一致する。これによって、アンカー５０の中心が、下孔５の略中心に位置合わせされ、アンカー５０の外周面と下孔５の内周面との間に適度なクリアランスが確保される。さらにアンカー５０と下孔５との間に接着部材７を注入して硬化させることで、周方向に沿って均一な層厚を有する接着層を形成することが可能となる。
【００３０】
また、アンカー保持具１はアンカー５０を下孔５内で回転させることで、下孔５内にアンカー５０を中空で保持させる役割を果たすことが出来る。図５（Ｂ）に示すように、アンカー５０を軸方向から見て、アンカー保持具１の連結部２０が迂回する方向に回転させる。このとき、アンカー保持具１は、アンカー５０とも回転しようとするが、Ｕ字状湾曲部２２の頂点２２ａで下孔５の内周面に引っ掛かって回転が抑制される。したがって、アンカー５０は、アンカー保持具１の保持部１０の内部で回転する。これに伴い、アンカー５０の一対の縦節５１が、同時に保持部１０の内側に配置された状態となる。一対の縦節５１は、保持部１０を径方向外側に押し広げて、保持部１０の開口幅を大きくする。これにより、第１突出部１１ａおよび第２突出部１２ａ、並びに第２突出部１２ａと繋がる連結部２０は、径方向外側に押し出されて、それぞれ下孔５の内周面に対して付勢する。この作用によって、アンカー保持具１の下孔５の内周面に対する緊迫力が大きくなり、アンカー５０を下孔５内で中空に保持することができる。
アンカー５０を下孔５内に中空で保持した状態（図５（Ｂ）に示す状態においても）であっても、アンカー５０の中心は、下孔５の略中心に位置合わせできる。したがって、この状態でアンカー５０と下孔５との間に接着部材７を注入し硬化させてもよい。
【００３１】
本実施形態のアンカー保持具１によれば、一対の保持部１０の第２保持部端１２同士を周方向に迂回して繋いだ連結部２０を有することで、下孔５の内周面に連結部２０が引っかかって、アンカー保持具１とアンカー５０との供回りを抑制できる。これに対して、特許文献１に記載されたアンカー用スペーサのように、連結部に相当する部位がコイル状に軸方向に延びている場合には、連結部に相当する部位が内周面に引っかかることがないため、アンカー保持具１とアンカー５０とが供回りしてしまい、本実施形態の効果を奏することがない。また、連結部が軸方向にコイル状に延びる場合には、連結部に相当する部位は、軸方向に容易に伸縮する。したがって、下孔の内周面に対して引っかかったとしても、自身の伸縮により、保持部１０の回転を十分に抑止できない。すなわち、アンカー５０を保持部１０の内部で回転させるためには、本実施形態に示すように周方向に迂回しながら軸方向に延びる連結部２０を有することが好ましい。
【００３２】
本実施形態のアンカー保持具１は、縦節５１を有する異形棒鋼を保持対象のアンカー５０とする場合に、アンカー５０を回転させることでアンカー５０を下孔５内で中空保持できる。すなわち、アンカー保持具１は、アンカー５０が周方向の一部に径方向外側に突出する凸部（縦節５１に相当）を有する場合に、アンカー５０を中空保持できる。また、縦節５１を有さないボルト等をアンカー５０として使用する場合には、外周面の一部を塑性変形させるなどして、周方向の一部に凸部を形成することで、中空保持を可能とすることができる。
【００３３】
＜変形例１＞
次に、第１実施形態のアンカー保持具１に採用可能な変形例１の構成について説明する。図１〜図３および図５に仮想線（二点鎖線）として示すように、保持部１０は、突出部１０ａを有していてもよい。突出部１０ａは、第１保持部端１１から第２保持部端１２への経路中に径方向外側に突出する。突出部１０ａは、円弧上に延びる保持部１０の一部を径方向外側に迂回させて折曲することでも形成できる。ここでは、保持部１０が１つの突出部１０ａを有する場合を例示するが、保持部１０は、周方向に沿って並ぶ２以上の突出部１０ａを有していてもよい。
【００３４】
図５（Ａ）、（Ｂ）に示すように、突出部１０ａは、第１突出部１１ａ、第２突出部１２ａおよびＵ字状湾曲部２２の頂点２２ａとともに、下孔５の内周面に接触する。すなわち、本変形例によれば、突出部１０ａを有することで、アンカー保持具１の下孔５に対する接触点が増加する。これにより、アンカー５０の中心の位置合わせをより安定して行うことができる。加えて、本変形例によれば、突出部１０ａが下孔５の内周面に対して付勢されるため、下孔５に対する緊迫力を増加させて、下孔５の内部でのアンカー５０の中空保持の確実性を高めることができる。
【００３５】
＜第２実施形態＞
図６に、第２実施形態のアンカー保持具１０１の斜視図を示す。以下、図６を基に、第２実施形態のアンカー保持具１０１について説明する。
本実施形態のアンカー保持具１０１は、第１実施形態のアンカー保持具１と比較して、主に連結部１２０の構成が異なる。なお、上述の実施形態と同一態様の構成要素については、同一符号を付し、その説明を省略する場合がある。
【００３６】
第１実施形態と同様に、アンカー保持具１０１は、１本の線材１０３からなる。また、アンカー保持具１０１は、一対の保持部１１０と、一対の保持部１１０の間に位置する連結部１２０と、を有する。一対の保持部１１０は、軸方向に並んでいる。また、連結部１２０は、軸方向に延びて一対の保持部１１０を繋ぐ。
【００３７】
保持部１１０は、第１実施形態のアンカー保持具１における保持部１０と同様の構成を有する。すなわち、保持部１１０は、開口部１１５と、開口部１１５の周方向一方側に位置する第１保持部端１１１と、開口部１１５の周方向他方側に位置する第２保持部端１１２と、を有する。さらに、保持部１１０は、第１保持部端１１１において、径方向外側に突出する第１突出部１１１ａを有する。同様に、保持部１１０は、第２保持部端１１２において、径方向外側に突出する第２突出部１１２ａを有する。
【００３８】
連結部１２０は、一対の保持部１１０の第２保持部端１１２同士を繋ぐ。連結部１２０は、保持部１１０の第２保持部端１１２に接続された一対の周方向湾曲部１２１と、一対の周方向湾曲部１２１同士の間に位置し軸方向に延びる直線部１２２と、を有する。連結部１２０は、一対の周方向湾曲部１２１および直線部１２２において、軸方向一方側から他方側に向かうに従い周方向に沿って開口部１１５と反対側に迂回して延びている。
【００３９】
周方向湾曲部１２１は、第２保持部端１１２から開口部１１５と反対側に向かって延びる。また、周方向湾曲部１２１は、連結部１２０の径方向外側において周方向に沿って湾曲している。
【００４０】
直線部１２２は、軸方向に直線的に延びている。直線部１２２の両端は、周方向湾曲部１２１と略直角に折り曲げられて形成されている。直線部１２２は、その全長が、第１実施形態におけるＵ字状湾曲部２２の頂点２２ａに対応する。すなわち、直線部１２２は、その全長が、周方向の最も一方側に位置するとともに径方向の最も外側に位置する。
【００４１】
本実施形態のアンカー保持具１０１によれば、第１実施形態のアンカー保持具１と同様の効果を奏することができる。
また、本実施形態のアンカー保持具１０１は、一対の保持部１１０のそれぞれの第１突出部１１１ａおよび第２突出部１１２ａに加えて、直線部１２２において下孔５の内周面に線接触する。このため、下孔５内に、躯体４内の空隙に起因する凹部が形成されている場合であっても、接触部分（すなわち直線部１２２）が凹部内に収容され難い。したがって、本実施形態のアンカー保持具１０１によれば、第１実施形態のアンカー保持具１に対して、アンカー５０の中心を下孔５の中心と位置合わせの確実性を高めることができる。加えて、本実施形態のアンカー保持具１０１によれば、直線部１２２が凹部内に収容され難いために、アンカー保持具１の緊迫力が低下することを抑制でき、アンカー５０を下孔５内における中空保持の確実性を高めることができる。
【００４２】
＜第３実施形態＞
図７に、第３実施形態のアンカー保持具２０１の斜視図を示す。以下、図７を基に、第３実施形態のアンカー保持具２０１について説明する。
本実施形態のアンカー保持具２０１は、上述の実施形態のアンカー保持具１、１０１と比較して、３つの保持部（第１の保持部２１０Ａ、第２の保持部２１０Ｂおよび第３の保持部２１０Ｃ）と、２つの連結部（第１の連結部２２０Ａおよび第２の連結部２２０Ｂ）と、を備える点が主に異なる。なお、上述の実施形態と同一態様の構成要素については、同一符号を付し、その説明を省略する場合がある。
【００４３】
第１の保持部２１０Ａ、第２の保持部２１０Ｂおよび第３の保持部２１０Ｃは、この順で軸方向に沿って並んでいる。第１の保持部２１０Ａは、開口部２１５と、開口部２１５の周方向一方側および他方側にそれぞれ位置する第１保持部端２１１Ａおよび第２保持部端２１２Ａと、を有する。同様に、第２の保持部２１０Ｂは、開口部２１５と、開口部２１５の周方向一方側および他方側にそれぞれ位置する第１保持部端２１１Ｂおよび第２保持部端２１２Ｂと、を有する。第３の保持部２１０Ｃは、開口部２１５と、開口部２１５の周方向一方側および他方側にそれぞれ位置する第１保持部端２１１Ｃおよび第２保持部端２１２Ｃと、を有する。
【００４４】
第１の連結部２２０Ａは、第１の保持部２１０Ａと第２の保持部２１０Ｂとの間に位置している。第１の連結部２２０Ａは、第１の保持部２１０Ａの第２保持部端２１２Ａと第２の保持部２１０Ｂの第２保持部端２１２Ｂと、を繋ぐ。第１の連結部２２０Ａは、軸方向一方側から他方側に向かうに従い周方向に沿って開口部２１５と反対側に迂回して延びている。第１の連結部２２０Ａは、迂回経路中に軸方向に沿って直線的に延びる直線部２２２を有する。
第２の連結部２２０Ｂは、第２の保持部２１０Ｂと第３の保持部２１０Ｃとの間に位置している。第２の連結部２２０Ｂは、第２の保持部２１０Ｂの第１保持部端２１１Ｂと第３の保持部２１０Ｃの第１保持部端２１１Ｃと、を繋ぐ。第２の連結部２２０Ｂは、軸方向一方側から他方側に向かうに従い周方向に沿って開口部２１５と反対側に迂回して延びている。第２の連結部２２０Ｂは、迂回経路中に軸方向に沿って直線的に延びる直線部２２２を有する。
【００４５】
第１の連結部２２０Ａは、開口部２１５に対して周方向他方側に位置する第２保持部端２１２Ａ、２１２Ｂ同士を繋ぎ、開口部２１５に対し周方向他方側を迂回して軸方向に延びる。一方で、第２の連結部２２０Ｂは、開口部２１５に対して周方向一方側に位置する第１保持部端２１１Ｂ、２１１Ｃ同士を繋ぎ、開口部２１５に対して周方向一方側を迂回して軸方向に延びる。
【００４６】
本実施形態のアンカー保持具２０１によれば、第１実施形態と同様の効果を奏することができる。
本実施形態のアンカー保持具２０１によれば、第１の連結部２２０Ａと第２の連結部２２０Ｂとが、周方向に沿って反対方向に迂回する。アンカー５０に装着して下孔５に挿入された状態で、第１の連結部２２０Ａおよび第２の連結部２２０Ｂが、下孔５の内周面にそれぞれ引っかかり、それぞれ周方向反対側の回転を抑制する。このため、アンカー５０を何れの方向に回転させる場合であっても、アンカー保持具２０１とアンカー５０との供回りを抑制し、下孔５の内部でアンカー５０を中空保持できる。本実施形態によれば、１つのアンカー５０に対して、複数のアンカー保持具２０１を使用する場合には、複数のアンカー保持具２０１の装着方向を揃える必要がなく、作業の容易性を高めることができる。
【００４７】
＜第４実施形態＞
図８に、第４実施形態のアンカー保持具３０１の斜視図を示す。以下、図８を基に、第４実施形態のアンカー保持具３０１について説明する。
本実施形態のアンカー保持具３０１は、上述の実施形態のアンカー保持具１、１０１、２０１と比較して、一対の保持具（第１の保持部３１０Ａおよび第２の保持部３１０Ｂ）の開口方向が主に異なる。なお、上述の実施形態と同一態様の構成要素については、同一符号を付し、その説明を省略する場合がある。
【００４８】
第１の保持部３１０Ａは、開口部３１５Ａと、開口部３１５Ａの周方向一方側および他方側にそれぞれ位置する第１保持部端３１１Ａおよび第２保持部端３１２Ａと、を有する。同様に、第２の保持部３１０Ｂは、開口部３１５Ｂと、開口部３１５Ｂの周方向一方側および他方側にそれぞれ位置する第１保持部端３１１Ｂおよび第２保持部端３１２Ｂと、を有する。第１の保持部３１０Ａの開口部３１５Ａと第２の保持部３１０Ｂの開口部３１５Ｂとは、中心軸Ｊに対し反対方向を向いて開口している。したがって、第１の保持部３１０Ａと第２の保持部３１０Ｂとは、互いに中心軸Ｊを中心として１８０°回転した姿勢で配置されている。
【００４９】
連結部３２０は、第１の保持部３１０Ａと第２の保持部３１０Ｂとを繋ぐ。連結部３２０は、第１周方向湾曲部３２１Ａと第２周方向湾曲部３２１Ｂと直線部３２２とを有する。第１周方向湾曲部３２１Ａは、第１の保持部３１０Ａの第２保持部端３１２Ａから周方向に沿って開口部３１５Ａの反対側に延びる。第２周方向湾曲部３２１Ｂは、第２の保持部３１０Ｂの第１保持部端３１１Ｂから周方向に沿って開口部３１５Ｂの反対側に延びる。
【００５０】
本実施形態のアンカー保持具３０１によれば、第１実施形態と同様の効果を奏することができる。加えて、本実施形態のアンカー保持具３０１によれば、連結部３２０の直線部３２２において、下孔５の内周面に当接することで、アンカー保持具１とアンカー５０との供回りを抑制して下孔５の内部でアンカー５０を中空保持できる。また、このような効果は、アンカー５０を何れの方向に回転させる場合にも奏することができるため、１つのアンカー５０に対して、複数のアンカー保持具３０１を使用する場合に、複数のアンカー保持具３０１の装着方向を揃える必要がなく、作業の容易性を高めることができる。
【００５１】
本実施形態のアンカー保持具３０１は、第１の保持部３１０Ａと第２の保持部３１０Ｂとが、互いに反対方向に開口するため、連結部３２０を弾性変形させながら装着することもできる。
【００５２】
以上に、本発明の様々な実施形態を説明したが、各実施形態における各構成およびそれらの組み合わせ等は一例であり、本発明の趣旨から逸脱しない範囲内で、構成の付加、省略、置換およびその他の変更が可能である。また、本発明は実施形態によって限定されることはない。
【符号の説明】
【００５３】
１，１０１，２０１，３０１…アンカー保持具、１０，１１０…保持部、１０ａ…突出部、１１，１１１，２１１Ａ，２１１Ｂ，２１１Ｃ，３１１Ａ，３１１Ｂ…第１保持部端、１１ａ，１１１ａ…第１突出部（突出部）、１２，１１２，２１２Ａ，２１２Ｂ，２１２Ｃ，３１２Ａ，３１２Ｂ…第２保持部端、１２ａ，１１２ａ…第２突出部（突出部）、１５，１１５，２１５，３１５Ａ，３１５Ｂ…開口部、２０，１２０，２２０Ａ，２２０Ｂ，３２０…連結部、２１，１２１，３２１Ａ，３２１Ｂ…周方向湾曲部、５０…アンカー（あと施工アンカー）、１２２，２２２，３２２…直線部
【要約】
【課題】アンカーと下孔とのクリアランスを確保するとともに、アンカーを下孔内で中空保持できるアンカー保持具の提供を目的とする。
【解決手段】軸方向に延びるアンカーを径方向外側から保持する少なくとも２つ以上の保持部と、軸方向に延び一対ごとの保持部を繋ぐ連結部と、を備え、保持部には、アンカーが挿入される開口部と、開口部の周方向一方側に位置する第１保持部端と、開口部の周方向他方側に位置する第２保持部端とが設けられ、連結部は、一対ごとの保持部の第２保持部端同士を繋ぎ、軸方向一方側から他方側に向かうに従い、周方向に沿って開口部と反対側に迂回する、アンカー保持具。
【選択図】図１【図１】
0006013579.tif 000002
【図２】
0006013579.tif 000003
【図３】
0006013579.tif 000004
【図４】
0006013579.tif 000005
【図５】
0006013579.tif 000006
【図６】
0006013579.tif 000007
【図７】
0006013579.tif 000008
【図８】
0006013579.tif 000009